(57)【特許請求の範囲】
【請求項１】
少なくとも本編データと、該本編データを指示する予告データとを受理し処理する情報処理装置であって、
前記本編データに対する所定の処理を予約するための予約情報に関する操作処理を、前記予告データに対する所定の操作に基づいて実行する手段を備え、
処理対象とする予告データとして、既に入手した本編データ中に格納される部分データとして抽出可能であり、かつ、予告としての性格を有するデータを用いることを特徴とする情報処理装置。
【請求項２】
少なくとも本編データと、該本編データを指示する予告データとを受理し処理する情報処理装置であって、
前記本編データに対する所定の処理を予約するための予約情報に関する操作処理を、前記予告データに対する所定の操作に基づいて実行する手段を備え、
処理対象とすべき予告データの一部分をなすデータが入手可能であり、かつ、該データに関連する本編データまたは他の予告データの少なくとも一方が入手可能である際に、該データと該本編データまたは該予告データの少なくとも一方とを用いて合成作成して得られた予告データをあらためて処理対象とすることを特徴とする情報処理装置。
【請求項３】
前記本編データは、特定の第１の本編データであり、前記予告データは、該第１の本編データの予告として該第１の本編データを指示するものであり、
前記第１の本編データを継続する部分として有することを前提とし該第１の本編データとは異なるものとして生成される第２の本編データと、前記予告データとが、一組の放送データとして提供されるものであり、
前記情報処理装置は、前記第２の本編データと前記予告データとが一組の放送データとして伝送される伝送路から、該一組の放送データを受理し処理することを特徴とする請求項１または２に記載の情報処理装置。
【請求項４】
処理対象とする予告データとして、本編データに付随または連続しない可能性のあるデータとして入手可能なデータを用いることを特徴とする請求項２に記載の情報処理装置。
【請求項５】
処理対象とする予告データとして、入手可能な全ての予告データを用いずに、所定の条件を満たす予告データのみを用いることを特徴とする請求項１または２に記載の情報処理装置。
【請求項６】
処理対象とすべき予告データの更新を可能とする差分データを入手できる際に、該予告データに該差分データを適用して得られた更新後の予告データをあらためて処理対象とすることを特徴とする請求項１または２に記載の情報処理装置。
【請求項７】
前記本編データに対する所定の処理は、本編データの記録または出力であり、前記予約情報に関する操作処理は、予約情報の登録、参照、更新または削除であることを特徴とする請求項１ないし６のいずれか１項に記載の情報処理装置。
【請求項８】
前記予告データは、少なくとも関連する本編データを特定可能な情報および該本編データの放送時間に関する情報を含むものであることを特徴とする請求項１ないし７のいずれか１項に記載の情報処理装置。
【請求項９】
少なくとも本編データと、該本編データを指示する予告データとを受理し処理する情報処理装置における予約処理方法であって、
前記本編データに対する所定の処理を予約するための予約情報に関する操作処理を、前記予告データに対する所定の操作に基づいて実行するステップを有し、
処理対象とする予告データとして、既に入手した本編データ中に格納される部分データとして抽出可能であり、かつ、予告としての性格を有するデータを用いることを特徴とする予約処理方法。
【請求項１０】
少なくとも本編データと、該本編データを指示する予告データとを受理し処理する情報処理装置における予約処理方法であって、
前記本編データに対する所定の処理を予約するための予約情報に関する操作処理を、前記予告データに対する所定の操作に基づいて実行するステップを有し、
処理対象とすべき予告データの一部分をなすデータが入手可能であり、かつ、該データに関連する本編データまたは他の予告データの少なくとも一方が入手可能である際に、該データと該本編データまたは該予告データの少なくとも一方とを用いて合成作成して得られた予告データをあらためて処理対象とすることを特徴とする予約処理方法。
【請求項１１】
前記本編データは、特定の第１の本編データであり、前記予告データは、該第１の本編データの予告として該第１の本編データを指示するものであり、
前記第１の本編データを継続する部分として有することを前提とし該第１の本編データとは異なるものとして生成される第２の本編データと、前記予告データとが、一組の放送データとして提供されるものであり、
前記情報処理装置は、前記第２の本編データと前記予告データとが一組の放送データとして伝送される伝送路から、該一組の放送データを受理し処理することを特徴とする請求項９または１０に記載の予約処理方法。
【発明の詳細な説明】
【０００１】
【発明の属する利用分野】
本発明は、放送データを受理し処理する情報処理装置及び放送データ対する記録や出力などの予約についての登録などを行うための予約処理方法に関する。
【０００２】
【従来の技術】
従来、ビデオデッキ等を用いたテレビ放送番組の予約録画指定の手段には、対象テレビ放送番組の放送時間帯とチャンネルなどの項目を直接指定する方法、Ｇコード（Ｇｅｍｓｔａｒコード）ＩＤにより番号入力する方法、バーコードＩＤにより入力する方法などがあった。
【０００３】
しかしながら、例えば、項目を直接指定する方法においては指定項目数が比較的多いため入力が繁雑であり、ＧコードＩＤによる方法においては番号の入力ミスの生じるおそれがあり、またＧコードＩＤやバーコードＩＤにおいては入力のための記号や符号を明示するためにテレビ番組雑誌等の紙面などによる情報固定（例えば記号や符号の印刷）を必要とするなどの不具合があった。
【０００４】
【発明が解決しようとする課題】
従来の録画予約などの操作機構では、番組の内容と意味的な繋がりを持たない数値や記号あるいは符号などの入力を強いられていたため、ユーザにとって繁雑でありかつ誤入力や誤操作が発生しやすいという問題点があった。
【０００５】
本発明は、上記事情を考慮してなされたもので、時間帯情報やチャンネルあるいはＧコードＩＤあるいはバーコードＩＤのような数値、記号、符号などの無機的な情報を用いることなく、より有機的な方法による送受信や記録、出力の対象となるデータに対する指示または操作等、例えば、放送番組の録画などの予約やその解除の指定等、を可能とする情報処理装置及び予約処理方法を提供すること目的とする。
【０００６】
【課題を解決するための手段】
多くのテレビ放送番組等のデータに関しては、その内容の一部または要約を示すものとして、その番組データの予告が作成され、この予告のみ前もって放送されることが、一般的となっている。
【０００７】
よって、予告データが提供されるときこれを用い、これに本編（放送）データへの記録等の操作及び取扱いを可能とする機能を持たせるべく、またこの機能を不備なく有効化すべく、新しい情報構造およびこれに関する情報処理方式を掲げることで、上記課題を解決することができる。
【０００８】
本発明は、少なくとも本編（放送）データと、該本編（放送）データを指示する予告データとを受理し処理する情報処理装置であって、前記本編（放送）データに対する所定の処理（例えば、記録、出力、送信、受信またはその他の取扱い）を予約するための予約情報に関する操作処理（例えば、登録、参照、更新または削除）を、前記予告データに対する所定の操作に基づいて実行する手段を備え、処理対象とする予告データとして、既に入手した本編（放送）データ中に格納される部分データとして抽出可能であり、かつ、予告としての性格を有するデータを用いることを特徴とする。
また、本発明は、少なくとも本編（放送）データと、該本編（放送）データを指示する予告データとを受理し処理する情報処理装置であって、前記本編（放送）データに対する所定の処理（例えば、記録、出力、送信、受信またはその他の取扱い）を予約するための予約情報に関する操作処理（例えば、登録、参照、更新または削除）を、前記予告データに対する所定の操作に基づいて実行する手段を備え、処理対象とすべき予告データの一部分をなすデータ（Ｌとする）が入手可能であり、かつ、該データ（Ｌ）に関連する本編（放送）データまたは他の予告データ（例えば、該データ（Ｌ）とは異なり既に自装置の処理対象である予告データ）の少なくとも一方が入手可能である際に、該データ（Ｌ）と該本編（放送）データまたは該予告データの少なくとも一方とを用いて合成作成して得られた予告データをあらためて処理対象とすることを特徴とする。
【０００９】
好ましくは、前記本編（放送）データは、特定の第１の本編（放送）データ（Ｙとする）であり、前記予告データは、該第１の本編（放送）データ（Ｙ）の予告として該第１の本編（放送）データ（Ｙ）を指示するもの（Ｐとする）であり、
前記第１の本編（放送）データ（Ｙ）を継続する部分として有することを前提とし該第１の本編（放送）データ（Ｙ）とは異なるものとして生成される第２の本編（放送）データ（Ｘとする）と、前記予告データ（Ｐ）とが、一組の放送データ（Ｓ）として提供されるものであり、
前記情報処理装置は、前記第２の本編（放送）データ（Ｘ）と前記予告データ（Ｐ）とが一組の放送データ（Ｓ）として伝送される伝送路から、該一組の放送データ（Ｓ）を受理し処理するようにしてもよい。
【００１０】
好ましくは、処理対象とする予告データとして、本編（放送）データに付随または連続しない可能性のあるデータとして入手可能なデータを用いるようにしてもよい。
【００１２】
好ましくは、処理対象とする予告データとして、入手可能な全ての予告データを用いずに、所定の条件（例えば、予め取得または算出が可能な予告データの受理に関する条件）を満たす予告データのみを用いるようにしてもよい。
【００１３】
好ましくは、処理対象とすべき予告データの更新を可能とする差分データを入手できる際に、該予告データに該差分データを適用して得られた更新後の予告データをあらためて処理対象とするようにしてもよい。
【００１６】
好ましくは、前記本編（放送）データに対する所定の処理は、本編（放送）データの記録または出力であり、前記予約情報に関する操作処理は、予約情報の登録、参照、更新または削除であるようにしてもよい。
【００１７】
好ましくは、前記予告データは、少なくとも関連する本編（放送）データを特定可能な情報および該本編（放送）データの放送時間に関する情報を含むものであるようにしてもよい。
【００１９】
本発明は、少なくとも本編（放送）データと、該本編（放送）データを指示する予告データとを受理し処理する情報処理装置における予約処理方法であって、前記本編（放送）データに対する所定の処理（例えば、記録、出力、送信、受信またはその他の取扱い）を予約するための予約情報に関する操作処理（例えば、登録、参照、更新または削除）を、前記予告データに対する所定の操作に基づいて実行するステップを有し、処理対象とする予告データとして、既に入手した本編（放送）データ中に格納される部分データとして抽出可能であり、かつ、予告としての性格を有するデータを用いることを特徴とする。
また、本発明は、少なくとも本編（放送）データと、該本編（放送）データを指示する予告データとを受理し処理する情報処理装置における予約処理方法であって、前記本編（放送）データに対する所定の処理（例えば、記録、出力、送信、受信またはその他の取扱い）を予約するための予約情報に関する操作処理（例えば、登録、参照、更新または削除）を、前記予告データに対する所定の操作に基づいて実行するステップを有し、処理対象とすべき予告データの一部分をなすデータ（Ｌとする）が入手可能であり、かつ、該データ（Ｌ）に関連する本編（放送）データまたは他の予告データ（例えば、該データ（Ｌ）とは異なり既に自装置の処理対象である予告データ）の少なくとも一方が入手可能である際に、該データ（Ｌ）と該本編（放送）データまたは該予告データの少なくとも一方とを用いて合成作成して得られた予告データをあらためて処理対象とすることを特徴とする。
【００２０】
好ましくは、前記本編（放送）データは、特定の第１の本編（放送）データ（Ｙとする）であり、前記予告データは、該第１の本編（放送）データ（Ｙ）の予告として該第１の本編（放送）データ（Ｙ）を指示するもの（Ｐとする）であり、
前記第１の本編（放送）データ（Ｙ）を継続する部分として有することを前提とし該第１の本編（放送）データ（Ｙ）とは異なるものとして生成される第２の本編（放送）データ（Ｘとする）と、前記予告データ（Ｐ）とが、一組の放送データ（Ｓ）として提供されるものであり、
前記情報処理装置は、前記第２の本編（放送）データ（Ｘ）と前記予告データ（Ｐ）とが一組の放送データ（Ｓ）として伝送される伝送路から、該一組の放送データ（Ｓ）を受理し処理するようにしてもよい。
【００２２】
本発明によれば、従来のデータ操作手段と比較して、本来そのデータの指示する内容とは無関係独立である無機的な情報を入力あるいは指定せずに、そのデータの予告データを用いることで、誤入力等の誤操作や対象データの取り違えを抑えることが可能となる。また、予告データという本編（放送）データの内容を反映するものを用いることで、各利用者毎に異なる番組本編の評価および取扱いを、支援することが可能となる。
【００２３】
また、本発明によれば、放送データという単一のデータの列の流れを、その各単位の分類性格に沿って適宜分流させることが可能となる。また、この際、複数の分類性格を有するデータ単位に関しては、当該する伝送先全てに等価に振り分けることが可能となっていることにより、各データに複数の分類性格を付ける利便性を提供できる。
【００２４】
なお、装置に係る本発明は方法に係る発明としても成立し、方法に係る本発明は装置に係る発明としても成立する。
【００２５】
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムを記録したコンピュータ読取り可能な記録媒体としても成立する。
【００２６】
【発明の実施の形態】
以下、図面を参照しながら発明の実施の形態を説明する。
【００２７】
まず、説明に用いる語句の意味内容について説明する。
【００２８】
「本編」（「本編データ」とも言う）とは、放送データであり、それ自身が放送番組の一つの内容として成立するデータとする。
【００２９】
「予告」（「予告データ」とも言う）とは、放送データであり、本編を一意的に指示するデータとする。
【００３０】
なお、予告であることと本編であることとの間には、特に排他性を設けない。すなわち、放送データは、本編と予告の両方の属性を持つことができる。なお、本編と予告の両方の属性を持たない放送データを何らかの目的で用いることもでき、あるいは放送データには少なくとも本編か予告の属性を持たせるようにすることもできる。
【００３１】
「予約」とは、放送データの録画予約としての用途が従来知られているが、これに限定されず、当該本編を入手した時点で行ないたいあるいは行なわせたい処理（例えば、録画以外の記録、再生、表示、所定の装置への出力、送信、受信など、種々のものが考えられる）を、当該本編が未入手である時点で所定操作により行われる明示行動全般であるとする。
【００３２】
また、複数の予約を管理あるいは指示する際に、その集合あるいはリスト構造的格納形態を、「予約リスト」と称することとする。
【００３３】
次に、本実施形態に係る情報処理装置（予約管理装置、分配装置）の説明のために用いる装置及び伝送路を以下にまとめる。
【００３４】
「放送データ伝送路」とは、少なくとも予告および本編を送出する伝送路とする。
【００３５】
「予告データ伝送路」とは、予告のみを送出する伝送路とする（ただし、本編以外の何らかのデータが伝送されても構わない）。
【００３６】
「本編データ伝送路」とは、本編のみを送出する伝送路とする（ただし、予告以外の何らかのデータが伝送されても構わない）。
【００３７】
なお、後述する第１の実施形態、第３の実施形態、第４の実施形態において、本編データ伝送路と予告データ伝送路とは、同一の形態の媒体で同一の経路であってもよいし、同一の形態の媒体で異なる経路であってもよいし、異なる形態の媒体であってもよい。
【００３８】
「予約履行装置」とは、録画機器やソフトウェア制御可能な表示装置等、定められた予約プログラムに従って稼働する機能を有する装置とする。例えば、録画機器の録画を行う機能がこれに該当し、この場合、予約の履行は、録画を行うことに相当する。
【００３９】
「放送記録装置」とは、ＶＣＲ等の、放送データの記録及びその送出の機能を有する装置とする。
【００４０】
「本編表示装置」とは、少なくとも本編データを表示する機能を有する装置とする。
【００４１】
「予告表示装置」とは、少なくとも予告データを表示する機能を有する装置とする。
【００４２】
なお、本実施形態においては、予告表示の他に、予約リスト表示の機能を有することを前提とし説明しているが、この前提は必須ではない。
【００４３】
「操作装置」とは、リモコン等の、本実施形態に係る情報処理装置（予約管理装置、分配装置）の利用者が予約に関する操作を行なうに当たり少なくとも入力インタフェースとなる機能を有する装置とする。なお、操作装置にリモコン等を入力デバイスとするグラフィカル・ユーザ・インタフェースを利用すると好ましい。また、必要な入力は、なるべく選択操作により可能とすると好ましい。
【００４４】
なお、上記の各装置は、本実施形態に係る情報処理装置（予約管理装置、分配装置）の外部装置として接続するものとして説明するが、上記の装置のうち任意のものを本実施形態に係る情報処理装置（予約管理装置、分配装置）と一体化して装置構成することも可能である。
【００４５】
また、本編表示、予告表示、予約リスト表示などに用いる表示デバイス（例えば液晶ディスプレイもしくはＣＲＴなど）は、各表示用に個別に設けてもよいし、１つまたは複数のものを共用してもよい。また、例えば、操作装置や他の装置は情報の入力および／または出力に表示デバイスを用いる場合には、同様に、専用に表示デバイスを用いてもよいし、他の装置と共用してもよい。
【００４６】
また、本実施形態に係る情報処理装置（予約管理装置、分配装置）は、汎用計算機を用いて構成することも可能であり、またＴＶ等の放送される番組を受信し表示等する装置、記録再生装置、記録再生機能内蔵のＴＶ等に組み込む形で構成することも可能である。
【００４７】
（第１の実施形態）
まず、本発明の第１の実施形態について説明する。
【００４８】
図１に、本実施形態に係る情報処理装置（予約管理装置）の構成例を示す。図１に示されるように、本情報処理装置４１１１は、予告データ記録部４１２１、予約リスト管理部４１２２、予約事項実行部４１２３とを備えている。
【００４９】
予告データ記録部４１２１は、予告データ伝送路４１０２からの予告データまたはそのデータ列を受理および記録し、操作装置４１０４からの指示に従いこの記録データの一部または全部または予約内容を適宜入手および算出し予告表示装置４１０５へ出力する機能を持つ。
【００５０】
予約リスト管理部４１２２は、予約リストを管理し時計を参照することで各予約事項の発動を管理する機能を持つ。
【００５１】
予約事項実行部４１２３は、本編データ伝送路４１０３からの本編データまたはそのデータ列を受理し、各予約事項の指定通りの設定である予約履行装置４１０６へ受理したデータを出力する機能を持つ。
【００５２】
次に、本情報処理装置について具体例を用いながら説明する。
【００５３】
図２（ａ）〜（ｃ）に放送データのフォーマットの一例を示す。図２の（ａ）は本編の前半、（ｂ）は本編の後半を指示する予告、（ｃ）は本編の後半、の各データである。また、図２（ｄ）に、番組番号という各データの先頭につけられたフィールドをもとにして得られる情報についての一例を示す。
【００５４】
各本編データは、番組番号、番組名、シリーズ番号、副題、種別、内容というフィールドから構成されているとする。
【００５５】
各予告データは、番組番号、番組名、シリーズ番号、副題、種別、内容、本編放送時間帯というフィールドから構成されているとする。
【００５６】
「番組番号」は、放送番組として不可分である集合に振られるＩＤである。
【００５７】
なお、図２（ｄ）に示したように、番組番号から少なくとも本編データ伝送路指定及び分類性格指定が抽出可能であるとする。
【００５８】
「番組名」は、番組番号毎に付けられる放送番組に関する統一の呼称である。
【００５９】
「シリーズ番号」は、番組として何回目の内容であるかを示す値である。
【００６０】
なお、シリーズではなく単発ものの番組の場合には、このシリーズ番号を、特定の内容、例えば、０、−１、ｎｕｌｌなどにすればよい。
【００６１】
「副題」は、番組番号とシリーズ番号を決めると唯一に決定される、放送各回に付けられたサブタイトルである。
【００６２】
「種別」は、対象となる放送データが、本編であるか及び予告であるかを示すものである。
【００６３】
図２では、シリーズ番号がｎの予告データは、シリーズ番号がｎの本編データに対する予告となっている例を示している。
【００６４】
なお、本編でありかつ予告であるもの、本編でも予告でもないものの存在もあり得るので、これらの指示は排他的とは限らないとする。例えば、種別のフィールドとして本編フラグと予告フラグの２ビットを設け、（本編フラグ，予告フラグ）が（１，０）であれば本編、（０，１）であれば予告、（１，１）であれば本編かつ予告（もしくは予告としての機能を有する本編）とする。この場合、本編でも予告でもないものは、（本編フラグ，予告フラグ）が（０，０）となる。また、この場合、シリーズ番号を本編シリーズ番号と予告シリーズ番号（予告対象となる本編の本編シリーズ番号）の２つで構成し、本編かつ予告であるもののについては、本編シリーズ番号と予告シリーズ番号を記述するようにしてもよい。もしくは、シリーズ番号がｎの本編かつ予告であるものについては、本編としてのシリーズ番号がｎで、かつ、予告対象となる本編の本編シリーズ番号をｎ＋１として扱うようにしてもよい。
【００６５】
なお、本編かつ予告である放送データは、例えば、番組番号、番組名、シリーズ番号、副題、種別、本編内容、予告内容、本編放送時間帯というフィールドから構成される。
【００６６】
「内容」は、放送データとしての主として表示または出力のために存在する番組データである。
【００６７】
例えば、図２（ａ）の放送データ（本編）の示すところは、ＩＤが１０２２３１３である「短歌ひととき」という名の番組の、サブタイトルが「〜上の句〜」である第１回の本編であり、その番組では「つついつの  いつつにかけし  まろかたけ」という文面を表示するものである、ということとなる。
【００６８】
また、通常、図２の（ａ）の本編、（ｂ）の予告、（ｃ）の本編の順にデータとして伝送され受理可能となるのが一般的であるため、以下はこれを前提として説明する。
【００６９】
図３に、予約リストの一例を示す。図３に示されるように、この予約リストでは、リストの要素である各予約事項が縦方向に整列している。
【００７０】
各予約事項は、開始時刻、終了時刻、予約履行装置指定、番組番号、番組名、シリーズ番号、副題というフィールドから構成されているとする。
【００７１】
なお、番組番号、番組名、シリーズ番号、副題の各フィールドは、図２に示したものと同等であり、また開始時刻及び終了時刻のフィールドの値は、図２に示される予告データ（本編かつ予告である放送データも含む）内の本編放送時間帯フィールドから抽出可能である。
【００７２】
「開始時刻」は、対象の予約の履行を開始すべき時刻を示す。
【００７３】
「終了時刻」は、対象の予約の履行を終了すべき時刻を示す。
【００７４】
「予約履行装置指定」は、対象の予約の履行を受け持つ外部装置の指定と、その運用設定項目に関する記述である。なお、この項目は、例えば、ユーザによる操作装置からの入力に基づいて設定される。
【００７５】
例えば、図３の最上段の予約事項の示すところは、ＩＤが１０２２３１３である「短歌ひととき」という名の番組の、サブタイトルが「〜下の句〜」である第２回を、９７／０１／０２  １２：００から９７／０１／０２  １２：０１まで、ＴＶディスプレイに音声及び映像情報を出力する、という旨の予約があることを意味する。
【００７６】
なお、予約リストは、機構的に算出可能でありかつ本情報処理装置の動作にとって本質的には不要である一方でユーザーが各予約事項を把握するために有用な情報を一切省いた構成にしてもよい。
【００７７】
また、予約リストは、機構的に算出可能でありかつ本情報処理装置の動作にとって本質的には不要である一方でユーザーが各予約事項を把握するために有用な情報を図２に示すものよりも多く持たせる構成にしてもよい。
【００７８】
図４は、本情報処理装置の最も簡素な動作指示手順の一例である。すなわち、予告データ記録部４１２１を１ステップ分実行し（ステップＳ１１）、予約リスト管理部４１２２を１ステップ分実行し（ステップＳ１２）、予約事項実行部４１２３を１ステップ分実行する（ステップＳ１３）、という一連の動作指示を適宜繰り返す。
【００７９】
なお、図４では、機構的に停止を前提としない各装置部分を全て支障無く稼働させるため、処理ステップ毎に動作する装置部分を切り替える形態をとっているが、これは必須ではなく、各装置部分の滞りない動作が可能であるならばよく、例えば全ての装置部分が各々関係する内外の入出力部分との同期をとりながら各々が完全独立に動作していてもよい。
【００８０】
次に、図５にて予告データ記録部４１２１の動作の一例を示す。
【００８１】
予告データ記録部４１２１は、予告データ伝送路４１０２から図２（ｂ）に例示するような予告データが入力されると、これを受理し記録する（ステップＳ２１，Ｓ２５）。
【００８２】
なお、好ましくは、記録するための容量に不足のある場合には、一定期間を経た過去に記録された予告データを削除する、あるいは別途この予告の記録に適する外部装置と接続し通信する、といった動作をするものとする。
【００８３】
操作装置４１０４からの予告の表示の命令を受理すると、予告データ記録部４１２１は、記録した予告の内容を、予約操作を行なうユーザーに向けて知らせるべく、予告表示装置４１０５へ出力する（ステップＳ２２，Ｓ２６）。
【００８４】
なお、好ましくは、予告の表示の命令を受理せずとも、予め組み込まれた予告の表示に関する決定可能な判断手順を経て表示に適すると評価された場合においても、予告表示装置４１０５へ出力するものとする。
【００８５】
本実施形態では、操作装置４１０４からの入力は全て予告データ記録部４１２１で受理する一方で、予告データ記録部４１２１は予約事項に関する処理を直接には行なわずに予約リスト管理部４１２２へ連絡することとしたため、予告データ記録部４１２１は、予告の表示以外、すなわち予約事項、に関連する命令を操作装置４１０４から受理すると、その受理データを予約リスト管理部４１２２へ伝送する（ステップＳ２３，Ｓ２７）。また、これが予約リストの表示に関する命令であった場合には、予約リスト管理部４１２２からの出力があるので、予告データ記録部４１２１は、これを予告表示装置４１０５へ出力する（ステップＳ２４，Ｓ２８，Ｓ２９）。
【００８６】
なお、好ましくは、予告データ記録部４１２１を介せずとも、操作装置４１０４と予約リスト管理部４１２２との間、および予約リスト管理部４１２２と予告表示装置４１０５との間、各々のデータの入出力が可能であるものとする。
【００８７】
また、好ましくは、操作装置４１０４あるいは該処理のために設けられた装置を通じて、予約操作を行なうユーザーの、予告種別に関する選択的な指定を、設定またはユーザーの操作命令列と関係する予告データ内の情報から算出可能であるものとする。
【００８８】
次に、図６にて予約リスト管理部４１２２の動作の一例を示す。
【００８９】
予約リスト管理部４１２２は、予約リストの作成、記録、管理および適用を担当する。
【００９０】
なお、好ましくは、記録および管理するための容量に不足のある場合には、別途この予約リストの記録に適する外部装置と接続し通信する、といった動作をするものとする。
【００９１】
まず、現在時刻を随時に参照の上、履行すべき予約事項があり、その時が来たならば、この予約事項を予約事項実行部４１２３へ出力の上、予約リストから削除する（ステップＳ３１〜Ｓ３７）。
【００９２】
また、本実施形態では、外部装置との予約事項に関する入出力は全て予告データ記録部４１２１を介することとしたため、予約事項に関する命令が予告データ記録部４１２１を通して入力される際に、それが予約リストの表示命令であるならば予約リストまたはそれを表示用に加工したものを予告データ記録部４１２１に出力し、それ以外、すなわち新規登録、項更新、および項削除等の予約リストを加工する性格の命令であるならば、予約リストをその命令通りに更新する（ステップＳ３８〜Ｓ４１）。
【００９３】
なお前述したように好ましくは、予告データ記録部４１２１を介さずとも、操作装置４１０４と予約リスト管理部４１２２との間、および予約リスト管理部４１２２と予告表示装置４１０５との間、各々のデータの入出力が可能であるものとする。
【００９４】
以上の諸動作を行なうことにより、例えば図２（ｂ）に例示する予告データが表示されている状況下で、操作装置４１０４を介しての適切な操作がある際に、図３の予約リストの最上段の予約事項が登録されることとなる。
【００９５】
次に、図７にて予約事項実行部４１２３の動作の一例を示す。
【００９６】
予約事項実行部４１２３は、開始時刻を迎えた予約事項の取り扱いを担当する。なお、図７は簡便のために同時に複数の予約事項を取り扱うことを想定していない動作手順としているが、好ましくは、同時に複数の予約事項を各々独立に管理できる機能を有する。
【００９７】
まず、予約リスト管理部４１２２から、開始時刻を迎えた予約事項のデータを受理する（ステップＳ５１）。
【００９８】
予約事項のデータを受理すると、予約事項実行部４１２３は、そのデータから、予約履行装置指定、予約終了時刻、本編データ伝送路指定情報等の情報を抽出し、それらを用いて設定を済ませた本編データ伝送路４１０３から伝送される本編データを、設定を済ませた予約履行装置４１０６に、予約終了時刻を迎えるまで出力する（ステップＳ５２〜Ｓ５５）。
【００９９】
なお、好ましくは、予約事項実行部４１２３は、本編データ伝送路４１０３と予約履行装置４１０６との接続を執り行う前後に、予約事項データの全部あるいは一部を予約履行装置４１０６あるいは本実施形態では示していない外部装置に送出する機能を有する。
【０１００】
予約終了時刻を迎えると、予約事項実行部４１２３は、それまで接続されていた本編データ伝送路４１０３と予約履行装置４１０６との関係を切断状態に変更する（ステップＳ５６）。
【０１０１】
これにより、各予約事項は支障なく履行される。
【０１０２】
以上のように本実施形態によれば、従来のデータ操作手段と比較して、本来そのデータの指示する内容とは無関係独立である無機的な情報を入力あるいは指定せずに、そのデータの予告データを用いることで、誤入力等の誤操作や対象データの取り違えを抑えることが可能となる。また、予告データという本編データの内容を反映するものを用いることで、各利用者毎に異なる番組本編の評価及び取扱いを、支援することが可能となる。
【０１０３】
（第２の実施形態）
次に、本発明の第２の実施形態について説明する。
【０１０４】
図８に、本実施形態に係る情報処理装置（本編予告一体型の予約管理装置）の構成例を示す。図８に示されるように、本情報処理装置２１１１は、予告データ記録部２１２１、予約リスト管理部２１２２、予約事項実行部２１２３、データ分配部２１２７を備えている。
【０１０５】
予告データ記録部２１２１は、予告データまたはそのデータ列を受理および記録し操作装置からの指示に従いこの記録データの一部または全部または予約内容を適宜入手および算出し予告表示装置へ出力する機能を持つ。
【０１０６】
予約リスト管理部２１２２は、予約リストを管理し時計を参照することで各予約事項の発動を管理する機能を持つ。
【０１０７】
予約事項実行部２１２３は、本編データまたはそのデータ列を受理し、各予約事項の指定通りの設定である予約履行装置２１０６へ受理したデータを出力する機能を持つ。
【０１０８】
データ分配部２１２７は、放送データ伝送路２１０１からの放送データまたは放送データ列を受理し、そのデータの種別に沿う適当な送出先があればそこへ向けてこのデータを送出する機能を持つ。
【０１０９】
次に、本情報処理装置について具体例を用いながら説明する。
【０１１０】
ここでは、先に例示した図２の放送データを用いるものとする。
【０１１１】
また、第１の実施形態と同様、図２の（ａ）の本編、（ｂ）の予告、（ｃ）の本編の順にデータとして伝送され受理可能となることを前提として説明する。
【０１１２】
また、ここでは、先に例示した図３の予約リストを用いるものとする。
【０１１３】
なお、「番組番号」、「番組名」、「シリーズ番号」、「副題」、「種別」、「内容」、「開始時刻」、「終了時刻」、「予約履行装置指定」については、第１の実施形態と同様である。
【０１１４】
なお、予約リストは、機構的に算出可能でありかつ本情報処理装置の動作にとって本質的には不要である一方でユーザーが各予約事項を把握するために有用な情報を一切省いた構成にしてもよい。
【０１１５】
また、予約リストは、機構的に算出可能でありかつ本情報処理装置の動作にとって本質的には不要である一方でユーザーが各予約事項を把握するために有用な情報を図２に示すものよりも多く持たせる構成にしてもよい。
【０１１６】
図９は、本情報処理装置の最も簡素な動作指示手順の一例である。すなわち、データ分配部２１２７を１ステップ分実行し（ステップＳ６１）、予告データ記録部２１２１を１ステップ分実行し（ステップＳ６２）、予約リスト管理部２１２２を１ステップ分実行し（ステップＳ６３）、予約事項実行部２１２３を１ステップ分実行する（ステップＳ６４）、という一連の動作指示を適宜繰り返す。
【０１１７】
なお、図９では、機構的に停止を前提としない各装置部分を全て支障無く稼働させるため、作業ステップ毎に動作する装置部分を切り替える形態をとっているが、これは必須ではなく、各装置部分の滞りない動作が可能であるならばよく、例えば全ての装置部分が各々関係する内外の入出力部分との同期をとりながら各々が完全独立に動作していてもよい。
【０１１８】
次に、図１０にてデータ分配部２１２７の動作の一例を示す。
【０１１９】
データ分配部２１２７は、放送データ伝送路２１０１から少なくとも予告データと本編データとが混在するデータ列の入力があると、これを受理し（ステップＳ７１）、予告データと判断できるあるいは判断すべきデータに関しては予告データの出力のために用意された出力先（例えば予告データ記録部２１２１）に出力し（ステップＳ７２，Ｓ７３，Ｓ７４）、また本編データと判断できるあるいは判断すべきデータに関しては本編データの出力のために用意された出力先（例えば予約事項実行部２１２３）に出力する（ステップＳ７２，Ｓ７５，Ｓ７６）。
【０１２０】
なお、好ましくは、対象データが予告と本編との両方と判断出来る場合においては、対象データを双方の出力先に各々出力するか、あるいは片方の出力先のみに限定するか、この選択を、指定出来る機能を有するものとする。
【０１２１】
また、好ましくは、予告にも本編にも該当しないデータのための出力先が予め設けられている場合に、予告にも本編にも該当しないデータを該出力先に出力する機能を有するものとする。
【０１２２】
図１１に、データ判定手順（図１２のステップＳ７２）の一例を示す。
【０１２３】
まず、ＩｓＰとＩｓＭにそれぞれ“Ｎｏ”を設定する（ステップＳ８１）。そして、受理した放送データ内の種別フィールドに予告を示す分類ＩＤがあれば、ＩｓＰを“Ｙｅｓ”に設定し（ステップＳ８２，Ｓ８３）、受理した放送データ内の種別フィールドに本編を示す分類ＩＤがあれば、ＩｓＭを“Ｙｅｓ”に設定し（ステップＳ８４，Ｓ８５）、受理した放送データ内の次回放送時刻フィールドがあれば、ＩｓＰを“Ｙｅｓ”に設定する（ステップＳ８６，Ｓ８７）。
【０１２４】
次に、Ｔに受理データの再生秒数を設定し、Ｔｐを予告とみなせるデータの予想最大秒数とし、Ｔｍを本編とみなせるデータの予想最小秒数として（ステップＳ８８）、Ｔ＜Ｔｐならば、ＩｓＰを“Ｙｅｓ”に設定し（ステップＳ８９，Ｓ９０）、Ｔ＞Ｔｍならば、ＩｓＭを“Ｙｅｓ”に設定する（ステップＳ９１，Ｓ９２）。
【０１２５】
次いで、Ｓに受理データの記録バイト数を設定し、Ｓｐを予告とみなせるデータの予想最大バイト数とし、Ｓｍを本編とみなせるデータの予想最小バイト数として（ステップＳ９３）、Ｓ＜Ｓｐならば、ＩｓＰを“Ｙｅｓ”に設定し（ステップＳ９４，Ｓ９５）、Ｓ＞Ｓｍならば、ＩｓＭを“Ｙｅｓ”に設定する（ステップＳ９６，Ｓ９７）。
【０１２６】
なお、好ましくは、データ分配部２１２７から本編表示装置２１０８に本編データを出力させて、本編表示装置２１０８に本編を表示させることを可能とする。さらに好ましくは、この表示は、予約履行装置２１０６による本編の録画などと並行して実行可能とする。
【０１２７】
次に、図５にて予告データ記録部２１２１の動作の一例を示す。
【０１２８】
予告データ記録部２１２１は、データ分配部２１２７から図２（ｂ）に例示するような予告データが入力されると、これを受理し記録する（ステップＳ２１，Ｓ２５）。
【０１２９】
なお、好ましくは、記録するための容量に不足のある場合には、一定期間を経た過去に記録された予告データを削除する、あるいは別途この予告の記録に適する外部装置と接続し通信する、といった動作をするものとする。
【０１３０】
操作装置２１０４からの予告の表示の命令を受理すると、予告データ記録部２１２１は、記録した予告の内容を、予約操作を行なうユーザーに向けて知らせるべく、予告表示装置２１０５へ出力する（ステップＳ２２，Ｓ２６）。
【０１３１】
なお、好ましくは、予告の表示の命令を受理せずとも、予め組み込まれた予告の表示に関する決定可能な判断手順を経て表示に適すると評価された場合においても、予告表示装置２１０５へ出力するものとする。
【０１３２】
本実施形態では、操作装置２１０４からの入力は全て予告データ記録部２１２１で受理する一方で、予告データ記録部２１２１は予約事項に関する処理を直接には行なわずに予約リスト管理部２１２２へ連絡することとしたため、予告データ記録部２１２１は、予告の表示以外、すなわち予約事項、に関連する命令を操作装置２１０４から受理すると、その受理データを予約リスト管理部２１２２へ伝送する（ステップＳ２３，Ｓ２７）。また、これが予約リストの表示に関する命令であった場合には、予約リスト管理部２１２２からの出力があるので、予告データ記録部２１２１は、これを予告表示装置２１０５へ出力する（ステップＳ２４，Ｓ２８，Ｓ２８）。
【０１３３】
なお、好ましくは、予告データ記録部２１２１を介さずとも、操作装置２１０４と予約リスト管理部２１２２との間、および予約リスト管理部２１２２と予告表示装置２１０５との間、各々のデータの入出力が可能であるものとする。
【０１３４】
また、好ましくは、操作装置２１０４あるいは該処理のために設けられた装置を通じて、予約操作を行なうユーザーの、予告種別に関する選択的な指定を、設定またはユーザーの操作命令列と関係する予告データ内の情報から算出可能であるものとする。
【０１３５】
次に、図６にて予約リスト管理部２１２２の動作の一例を示す。
【０１３６】
予約リスト管理部２１２２は、予約リストの作成、記録、管理および適用を担当する。
【０１３７】
なお、好ましくは、記録および管理するための容量に不足のある場合には、別途この予約リストの記録に適する外部装置と接続し通信する、といった動作をするものとする。
【０１３８】
まず、現在時刻を随時に参照の上、履行すべき予約事項があり、その時が来たならば、この予約事項を予約事項実行部２１２３へ出力の上、予約リストから削除する（ステップＳ３１〜Ｓ３７）。
【０１３９】
また、本実施形態では、外部装置との予約事項に関する入出力は全て予告データ記録部２１２１を介することとしたため、予約事項に関する命令が予告データ記録部２１２１を通して入力される際に、それが予約リストの表示命令であるならば予約リストまたはそれを表示用に加工したものを予告データ記録部２１２１に出力し、それ以外、すなわち新規登録、項更新、および項削除等の予約リストを加工する性格の命令であるならば、予約リストをその命令通りに更新する（ステップＳ３８〜Ｓ４１）。
【０１４０】
なお前述したように好ましくは、予告データ記録部２１２１を介さずとも、操作装置２１０４と予約リスト管理部２１２２との間、および予約リスト管理部２１２２と予告表示装置２１０５との間、各々のデータの入出力が可能であるものとする。
【０１４１】
以上の諸動作を行なうことにより、例えば図２（ｂ）に例示する予告データが表示されている状況下で、操作装置２１０４を介しての適切な操作がある際に、図３の予約リストの最上段の予約事項が登録されることとなる。
【０１４２】
次に、図７にて予約事項実行部２１２３の動作の一例を示す。
【０１４３】
予約事項実行部２１２３は、開始時刻を迎えた予約事項の取り扱いを担当する。なお、図７は簡便のために同時に複数の予約事項を取り扱うことを想定していない動作図としているが、好ましくは、同時に複数の予約事項を各々独立に管理できる機能を有する。
【０１４４】
まず、予約リスト管理部２１２２から、開始時刻を迎えた予約事項のデータを受理する（ステップＳ５１）。
【０１４５】
予約事項のデータを受理すると、予約事項実行部２１２３は、そのデータから、予約履行装置指定、予約終了時刻、本編データ伝送路指定情報等の情報を抽出し、それらを用いて設定を済ませた当該伝送路２１０１から伝送される本編データを、設定を済ませた予約履行装置２１０６に、予約終了時刻を迎えるまで出力する（ステップＳ５２〜Ｓ５５）。
【０１４６】
なお、好ましくは、予約事項実行部２１２３は、当該伝送路２１０１と予約履行装置２１０６との接続を執り行う前後に、予約事項データの全部あるいは一部を予約履行装置２１０６あるいは本実施形態では示していない外部装置に送出する機能を有する。
【０１４７】
予約終了時刻を迎えると、予約事項実行部２１２３は、それまで接続されていた本編データ伝送路２１０１と予約履行装置２１０６との関係を切断状態に変更する（ステップＳ５６）。
【０１４８】
これにより、各予約事項は支障なく履行される。
【０１４９】
以上のように本実施形態によれば、従来のデータ操作手段と比較して、本来そのデータの指示する内容とは無関係独立である無機的な情報を入力あるいは指定せずに、そのデータの予告データを用いることで、誤入力等の誤操作や対象データの取り違えを抑えることが可能となる。また、予告データという本編データの内容を反映するものを用いることで、各利用者毎に異なる番組本編の評価及び取扱いを、支援することが可能となる。
【０１５０】
（第３の実施形態）
次に、本発明の第３の実施形態について説明する。
【０１５１】
図１２に、本実施形態に係る情報処理装置（予告選別型の予約管理装置）の構成例を示す。図１２に示されるように、本情報処理装置５１１１は、予告データ記録部５１２１、予約リスト管理部５１２２、予約事項実行部５１２３、予告データ選別部５１２４を備えている。
【０１５２】
予告データ記録部５１２１は、予告データまたはそのデータ列を受理および記録し、操作装置５１０４からの指示に従いこの記録データの一部または全部または予約内容を適宜入手および算出し予告表示装置５１０５へ出力する機能を持つ。
【０１５３】
予約リスト管理部５１２２は、予約リストを管理し時計を参照することで各予約事項の発動を管理する機能を持つ。
【０１５４】
予約事項実行部５１２３は、本編データ伝送路５１０３からの本編データまたはそのデータ列を受理し、各予約事項の指定通りの設定である予約履行装置５１０６へ受理したデータを出力する機能を持つ。
【０１５５】
予告データ選別部５１２４は、予告データ伝送路５１０２からの予告データ列を受理し、その中から以後必要となる予告データ列の部分列を入手および参照可能なデータを用いて算出し出力する機能を持つ。
【０１５６】
次に、本情報処理装置について具体例を用いながら説明する。
【０１５７】
ここでは、先に例示した図２の放送データを用いるものとする。
【０１５８】
また、第１の実施形態と同様、図２の（ａ）の本編、（ｂ）の予告、（ｃ）の本編の順にデータとして伝送され受理可能となることを前提として説明する。
【０１５９】
また、ここでは、先に例示した図３の予約リストを用いるものとする。
【０１６０】
なお、「番組番号」、「番組名」、「シリーズ番号」、「副題」、「種別」、「内容」、「開始時刻」、「終了時刻」、「予約履行装置指定」については、第１の実施形態と同様である。
【０１６１】
なお、予約リストは、機構的に算出可能でありかつ本情報処理装置の動作にとって本質的には不要である一方でユーザーが各予約事項を把握するために有用な情報を一切省いた構成にしてもよい。
【０１６２】
また、予約リストは、機構的に算出可能でありかつ本情報処理装置の動作にとって本質的には不要である一方でユーザーが各予約事項を把握するために有用な情報を図２に示すものよりも多く持たせる構成にしてもよい。
【０１６３】
図１３は、本情報処理装置の最も簡素な動作指示手順の一例である。すなわち、予告データ選別部５１２４を１ステップ分実行し（ステップＳ１０１）、予告データ記録部４１２１を１ステップ分実行し（ステップＳ１０２）、予約リスト管理部４１２２を１ステップ分実行し（ステップＳ１０３）、予約事項実行部４１２３を１ステップ分実行する（ステップＳ１０４）、という一連の動作指示を適宜繰り返す。
【０１６４】
なお、図１３では、機構的に停止を前提としない各装置部分を全て支障無く稼働させる為、作業ステップ毎に動作する装置部分を切り替える形態をとっているが、これは必須ではなく、各装置部分の滞りない動作が可能であるならばよく、例えば全ての装置部分が各々関係する内外の入出力部分との同期をとりながら各々が完全独立に動作していてもよい。
【０１６５】
次に、図１４にて予告データ選別部５１２４の動作の一例を示す。
【０１６６】
予告データ選別部５１２４は、予告データ記録部５１２１から最新の予告データの選別用のデータベースが入手可能であるならば、このデータベースを新たに設定する（ステップＳ１１１，Ｓ１１２）。
【０１６７】
また、予告データ選別部５１２４は、予告データ伝送路５１０２から予告データの入力があるとこれを受理し、受理の時点で最新の予告データの選別用のデータベースと、この予告データを照合し、不適とみなされないあるいは適切とみなされるデータに関してのみ、これを予告データ記録部５１２１へ出力する（ステップＳ１１３〜Ｓ１１５）。
【０１６８】
次に、図５にて予告データ記録部５１２１の動作の一例を示す。
【０１６９】
予告データ記録部５１２１は、予告データ伝送路５１０２から図２（ｂ）に例示するような予告データが入力されると、これを受理し記録する（ステップＳ２１，Ｓ２５）。
【０１７０】
なお、好ましくは、記録する為の容量に不足のある場合には、一定期間を経た過去に記録された予告データを削除する、あるいは別途この予告の記録に適する外部装置と接続し通信する、といった動作をするものとする。
【０１７１】
操作装置５１０４からの予告の表示の命令を受理すると、予告データ記録部５１２１は、記録した予告の内容を、予約操作を行なうユーザーに向けて知らせるべく、予告表示装置５１０５へ出力する（ステップＳ２２，Ｓ２６）。
【０１７２】
なお、好ましくは、予告の表示の命令を受理せずとも、予め組み込まれた予告の表示に関する決定可能な判断手順を経て表示に適すると評価された場合においても、予告表示装置５１０５へ出力するものとする。
【０１７３】
本実施形態では、操作装置５１０４からの入力は全て予告データ記録部５１２１で受理する一方で、予告データ記録部５１２１は予約事項に関する処理を直接には行なわずに予約リスト管理部５１２２へ連絡することとしたため、予告データ記録部５１２１は、予告の表示以外、すなわち予約事項、に関連する命令を操作装置５１０４から受理すると、その受理データを予約リスト管理部５１２２へ伝送する（ステップＳ２３，Ｓ２７）。また、これが予約リストの表示に関する命令であった場合には、予約リスト管理部５１２２からの出力があるので、予告データ記録部５１２１は、これを予告表示装置５１０５へ出力する（ステップＳ２４，Ｓ２８，Ｓ２８）。
【０１７４】
なお、好ましくは、予告データ記録部５１２１を介さずとも、操作装置５１０４と予約リスト管理部５１２２との間、及び予約リスト管理部５１２２と予告表示装置５１０５との間、各々のデータの入出力が可能であるものとする。
【０１７５】
また、好ましくは、操作装置５１０４あるいは該処理のために設けられた装置を通じて、予約操作を行なうユーザーの、予告種別に関する選択的な指定を、設定またはユーザーの操作命令列と関係する予告データ内の情報から算出可能であるものとする。
【０１７６】
次に、図６にて予約リスト管理部５１２２の動作の一例を示す。
【０１７７】
予約リスト管理部５１２２は、予約リストの作成、記録、管理および適用を担当する。
【０１７８】
なお、好ましくは、記録および管理する為の容量に不足のある場合には、別途この予約リストの記録に適する外部装置と接続し通信する、といった動作をするものとする。
【０１７９】
まず、現在時刻を随時に参照の上、履行すべき予約事項があり、その時が来たならば、この予約事項を予約事項実行部５１２３へ出力の上、予約リストから削除する（ステップＳ３１〜Ｓ３７）。
【０１８０】
また、本実施形態では、外部装置との予約事項に関する入出力は全て予告データ記録部５１２１を介することとしたため、予約事項に関する命令が予告データ記録部５１２１を通して入力される際に、それが予約リストの表示命令であるならば予約リストまたはそれを表示用に加工したものを予告データ記録部５１２１に出力し、それ以外、すなわち新規登録、項更新、および項削除等の予約リストを加工する性格の命令であるならば、予約リストをその命令通りに更新する（ステップＳ３８〜Ｓ４１）。
【０１８１】
なお前述したように好ましくは、予告データ記録部５１２１を介さずとも、操作装置５１０４と予約リスト管理部５１２２との間、および予約リスト管理部５１２２と予告表示装置５１０５との間、各々のデータの入出力が可能であるものとする。
【０１８２】
以上の諸動作を行なうことにより、例えば図２（ｂ）に例示する予告データが表示されている状況下で、操作装置５１０４を介しての適切な操作がある際に、図３の予約リストの最上段の予約事項が登録されることとなる。
【０１８３】
次に、図７にて予約事項実行部５１２３の動作の一例を示す。
【０１８４】
予約事項実行部５１２３は、開始時刻を迎えた予約事項の取り扱いを担当する。なお、図７は簡便の為に同時に複数の予約事項を取り扱うことを想定していない動作図としているが、好ましくは、同時に複数の予約事項を各々独立に管理できる機能を有する。
【０１８５】
まず、予約リスト管理部５１２２から、開始時刻を迎えた予約事項のデータを受理する（ステップＳ５１）。
【０１８６】
予約事項のデータを受理すると、予約事項実行部５１２３は、そのデータから、予約履行装置指定、予約終了時刻、本編データ伝送路指定情報等の情報を抽出し、それらを用いて設定を済ませた本編データ伝送路５１０３から伝送される本編データを、設定を済ませた予約履行装置５１０６に、予約終了時刻を迎えるまで出力する（ステップＳ５２〜Ｓ５５）。
【０１８７】
なお、好ましくは、予約事項実行部５１２３は、本編データ伝送路５１０３と予約履行装置５１０６との接続を執り行う前後に、予約事項データの全部あるいは一部を予約履行装置５１０６あるいは本実施形態では示していない外部装置に送出する機能を有する。
【０１８８】
予約終了時刻を迎えると、予約事項実行部５１２３は、それまで接続されていた本編データ伝送路５１０３と予約履行装置５１０６との関係を切断状態に変更する（ステップＳ５６）。
【０１８９】
これにより、各予約事項は支障なく履行される。
【０１９０】
以上のように本実施形態によれば、従来のデータ操作手段と比較して、本来そのデータの指示する内容とは無関係独立である無機的な情報を入力あるいは指定せずに、そのデータの予告データを用いる事で、誤入力等の誤操作や対象データの取り違えを抑える事が可能となる。また、予告データという本編データの内容を反映するものを用いることで、各利用者毎に異なる番組本編の評価及び取扱いを、支援することが可能となる。
【０１９１】
（第４の実施形態）
次に、本発明の第４の実施形態について説明する。
【０１９２】
図１５に、本実施形態に係る情報処理装置（内参照予告合成更新型の予約管理装置）の構成例を示す。図１５に示されるように、本情報処理装置６１１１は、予告データ記録部６１２１、予約リスト管理部６１２２、予約事項実行部６１２３、予告表示用データ生成部６１２５を備えている。
【０１９３】
予告データ記録部６１２１は、予告データまたはそのデータ列を受理および記録し、操作装置６１０４からの指示に従いこの記録データの一部または全部または予約内容を適宜入手および算出し予告表示装置６１０５へ出力する機能を持つ。
【０１９４】
予約リスト管理部６１２２は、予約リストを管理し時計を参照することで各予約事項の発動を管理する機能を持つ。
【０１９５】
予約事項実行部６１２３は、本編データ伝送路６１０３からの本編データまたはそのデータ列を受理し、各予約事項の指定通りの設定である予約履行装置６１０６へ受理したデータを出力する機能を持つ。
【０１９６】
予告表示用データ生成部６１２５は、予告データ伝送路６１０２からの予告データ部分または予告データ部分列を受理し、関係する本編データや予告データを入手できる際に新たな予告データを作成する機能を持つ。
【０１９７】
次に、本情報処理装置について具体例を用いながら説明する。
【０１９８】
ここでは、先に例示した図２の放送データを用いるものとする。
【０１９９】
また、第１の実施形態と同様、図２の（ａ）の本編、（ｂ）の予告、（ｃ）の本編の順にデータとして伝送され受理可能となることを前提として説明する。
【０２００】
また、ここでは、先に例示した図３の予約リストを用いるものとする。
【０２０１】
なお、「番組番号」、「番組名」、「シリーズ番号」、「副題」、「種別」、「内容」、「開始時刻」、「終了時刻」、「予約履行装置指定」については、第１の実施形態と同様である。
【０２０２】
なお、予約リストは、機構的に算出可能でありかつ本情報処理装置の動作にとって本質的には不要である一方でユーザーが各予約事項を把握するために有用な情報を一切省いた構成にしてもよい。
【０２０３】
また、予約リストは、機構的に算出可能でありかつ本情報処理装置の動作にとって本質的には不要である一方でユーザーが各予約事項を把握するために有用な情報を図２に示すものよりも多く持たせる構成にしてもよい。
【０２０４】
図１６は、本情報処理装置の最も簡素な動作指示手順の一例である。すなわち、予告データ記録部６１２１を１ステップ分実行し（ステップＳ１２１）、予約リスト管理部６１２２を１ステップ分実行し（ステップＳ１２２）、予約事項実行部６１２３を１ステップ分実行し（ステップＳ１２３）、予告表示用データ生成部６１２５を１ステップ分実行する（ステップＳ１２４）、という一連の動作指示を適宜繰り返す。
【０２０５】
なお、図１６では、機構的に停止を前提としない各装置部分を全て支障無く稼働させる為、作業ステップ毎に動作する装置部分を切り替える形態をとっているが、これは必須ではなく、各装置部分の滞りない動作が可能であるならばよく、例えば全ての装置部分が各々関係する内外の入出力部分との同期をとりながら各々が完全独立に動作していてもよい。
【０２０６】
次に、図１７にて予告表示用データ生成部６１２５の動作の一例を示す。
【０２０７】
予告表示用データ生成部６１２５は、予告データ伝送路６１０２から予告データの入力があると、これを受理し、この予告データに補完の必要性があるかないかを判断し（ステップＳ１３１〜Ｓ１３３）、もし補完の必要性がある際には、この予告データに関係する入手可能なデータがある場合に限り、そのデータを用いて補完された予告データを算出し（ステップＳ１３４〜Ｓ１３７／ステップＳ１３４，Ｓ１３８〜Ｓ１４１）、予告データ記録部６１２１へ出力する（ステップＳ１４２）。
【０２０８】
また、好ましくは、補完に当てる入手可能なデータとして、関係する本編データを探し出すことを優先し、当該データがある場合にはこれを用いるものとする。あるいは、好ましくは、補完に当てる入手可能なデータとして、関係する予告データが現存する場合には、これを用いるものとする。
【０２０９】
なお、補完に当てる入手可能なデータとして、関係する本編データと予告データの両方が入手可能な場合に、その両者を用いるようにしてもよい。
【０２１０】
次に、図５にて予告データ記録部６１２１の動作の一例を示す。
【０２１１】
予告データ記録部６１２１は、予告データ伝送路６１０２から図（ｂ）に例示するような予告データが入力されると、これを受理し記録する（ステップＳ２１，Ｓ２５）。
【０２１２】
なお、好ましくは、記録する為の容量に不足のある場合には、一定期間を経た過去に記録された予告データを削除する、あるいは別途この予告の記録に適する外部装置と接続し通信する、といった動作をするものとする。
【０２１３】
操作装置６１０４からの予告の表示の命令を受理すると、予告データ記録部６１２１は、記録した予告の内容を、予約操作を行なうユーザーに向けて知らせるべく、予告表示装置６１０５へ出力する（ステップＳ２２，Ｓ２６）。
【０２１４】
なお、好ましくは、予告の表示の命令を受理せずとも、予め組み込まれた予告の表示に関する決定可能な判断手順を経て表示に適すると評価された場合においても、予告表示装置６１０５へ出力するものとする。
【０２１５】
本実施形態では、操作装置６１０４からの入力は全て予告データ記録部６１２１で受理する一方で、予告データ記録部６１２１は予約事項に関する処理を直接には行なわずに予約リスト管理部６１２２へ連絡することとしたため、予告データ記録部６１２１は、予告の表示以外、すなわち予約事項、に関連する命令を操作装置６１０４から受理すると、その受理データを予約リスト管理部６１２２へ伝送する（ステップＳ２３，Ｓ２７）。および、これが予約リストの表示に関する命令であった場合には、予約リスト管理部６１２２からの出力があるので、予告データ記録部６１２１は、これを予告表示装置６１０５へ出力する（ステップＳ２４，Ｓ２８，Ｓ２８）。
【０２１６】
なお、好ましくは、予告データ記録部６１２１を介さずとも、操作装置６１０４と予約リスト管理部６１２２との間、及び予約リスト管理部６１２２と予告表示装置６１０５との間、各々のデータの入出力が可能であるものとする。
【０２１７】
また、好ましくは、操作装置６１０４あるいは該処理のために設けられた装置を通じて、予約操作を行なうユーザーの、予告種別に関する選択的な指定を、設定またはユーザーの操作命令列と関係する予告データ内の情報から算出可能であるものとする。
【０２１８】
次に、図６にて予約リスト管理部６１２２の動作の一例を示す。
【０２１９】
予約リスト管理部６１２２は、予約リストの作成、記録、管理および適用を担当する。
【０２２０】
なお、好ましくは、記録および管理する為の容量に不足のある場合には、別途この予約リストの記録に適する外部装置と接続し通信する、といった動作をするものとする。
【０２２１】
まず、現在時刻を随時に参照の上、履行すべき予約事項があり、その時が来たならば、この予約事項を予約事項実行部６１２３へ出力の上、予約リストから削除する（ステップＳ３１〜Ｓ３７）。
【０２２２】
また、本実施形態では、外部装置との予約事項に関する入出力は全て予告データ記録部６１２１を介することとしたため、予約事項に関する命令が予告データ記録部６１２１を通して入力される際に、それが予約リストの表示命令であるならば予約リストまたはそれを表示用に加工したものを予告データ記録部６１２１に出力し、それ以外、すなわち新規登録、項更新、および項削除等の予約リストを加工する性格の命令であるならば、予約リストをその命令通りに更新する（ステップＳ３８〜Ｓ４１）。
【０２２３】
なお前述したように好ましくは、予告データ記録部５１２１を介さずとも、操作装置６１０４と予約リスト管理部６１２２との間、および予約リスト管理部６１２２と予告表示装置６１０５との間、各々のデータの入出力が可能であるものとする。
【０２２４】
以上の諸動作を行なうことにより、例えば図２（ｂ）に例示する予告データが表示されている状況下で、操作装置６１０４を介しての適切な操作がある際に、図３の予約リストの最上段の予約事項が登録されることとなる。
【０２２５】
次に、図７にて予約事項実行部６１２３の動作の一例を示す。
【０２２６】
予約事項実行部６１２３は、開始時刻を迎えた予約事項の取り扱いを担当する。なお、図７は簡便の為に同時に複数の予約事項を取り扱うことを想定していない動作図としているが、好ましくは、同時に複数の予約事項を各々独立に管理できる機能を有する。
【０２２７】
まず、予約リスト管理部６１２２から、開始時刻を迎えた予約事項のデータを受理する（ステップＳ５１）。
【０２２８】
予約事項のデータを受理すると、予約事項実行部６１２３は、そのデータから、予約履行装置指定、予約終了時刻、本編データ伝送路指定情報等の情報を抽出し、それらを用いて設定を済ませた本編データ伝送路６１０３から伝送される本編データを、設定を済ませた予約履行装置６１０６に、予約終了時刻を迎えるまで出力する（ステップＳ５２〜Ｓ５５）。
【０２２９】
なお、好ましくは、予約事項実行部６１２３は、本編データ伝送路６１０３と予約履行装置６１０６との接続を執り行う前後に、予約事項データの全部あるいは一部を予約履行装置６１０６あるいは本実施形態では示していない外部装置に送出する機能を有する。
【０２３０】
予約終了時刻を迎えると、予約事項実行部６１２３は、それまで接続されていた本編データ伝送路６１０３と予約履行装置６１０６との関係を切断状態に変更する（ステップＳ５６）。
【０２３１】
これにより、各予約事項は支障なく履行される。
【０２３２】
本実施形態によれば、従来のデータ操作手段と比較して、本来そのデータの指示する内容とは無関係独立である無機的な情報を入力あるいは指定せずに、そのデータの予告データを用いる事で、誤入力等の誤操作や対象データの取り違えを抑える事が可能となる。また、予告データという本編データの内容を反映するものを用いることで、各利用者毎に異なる番組本編の評価及び取扱いを、支援することが可能となる。
【０２３３】
次に、本実施形態に係るもう一つの情報処理装置（外参照予告合成更新型予約管理装置）について説明する。
【０２３４】
図１８に、本実施形態に係るもう一つの情報処理装置（外参照予告合成更新型予約管理装置）の構成例を示す。図１８に示されるように、本情報処理装置７１１１は、予告データ記録部７１２１、予約リスト管理部７１２２、予約事項実行部７１２３、予告表示用データ生成部７１２５を備えている。
【０２３５】
図１８の実施形態の予告データ記録部７１２１と予約リスト管理部７１２２と予約事項実行部７１２３と予告表示用データ生成部７１２５は、それぞれ、図１５の実施形態の予告データ記録部６１２１と予約リスト管理部６１２２と予約事項実行部６１２３と予告表示用データ生成部６１２５と基本的には同様であるので、以下では相違する点を中心に説明する。なお、図１５の放送記録装置７１０７は本編データを記録する装置であり、図１５の他の装置や伝送路は図１８の対応するものと同等のものである。
【０２３６】
図１５の実施形態では、予告表示用データ生成部６２５は本編データを本編データ伝送路６１０３から直接入手する形式をとっていたが、この図１８の実施形態では、予告表示用データ生成部７１２５は本編データを外部装置である放送記録装置７１０４から入手する形式をとっている。
【０２３７】
これにより、放送記録装置７１０７が関連する本編データの貯蓄を担うことが可能となるため、本編データ伝送路７１０３にデータの貯蓄性を求めることもなく、また予告表示用データ生成部７１２５の本編データ貯蓄量の上限を抑える形での実現が可能となる。
【０２３８】
なお、図１５と図１８の機能を両方とも備え、予告表示用データ生成部が、本編データを、本編データ伝送路と放送記録装置のいずれからも入手できるようにしてもよい。
【０２３９】
（第５の実施形態）
次に、本発明の第５の実施形態について説明する。
【０２４０】
図１９に、本実施形態に係る情報処理装置（分配装置）の構成例を示す。図１９に示されるように、本情報処理装置３１１１は、データ分配部３１２７、予告データ処理部３１２８、本編データ処理部３１２９を備えている。
【０２４１】
データ分配部３１２７は、放送データ伝送路３１０１からの放送データまたは放送データ列を受理し、そのデータの種別に沿う適当な送出先があればそこへ向けてこのデータを送出する機能を持つ。
【０２４２】
予告データ処理部３１２８は、予告データ部分または予告データ部分列を受理し、それが以後の処理対象として十分である単位としての性格を有するようになるまで累積記録する一方で、条件を満たしたものを適宜、予告データ伝送路３１０２に出力する機能を持つ。
【０２４３】
本編データ処理部３１２９は、本編データ部分または本編データ部分列を受理し、それが以後の処理対象として十分である単位としての性格を有するようになるまで累積記録する一方で、条件を満たしたものを適宜、本編データ伝送路３１０３に出力する機能を持つ。
【０２４４】
次に、本情報処理装置について具体例を用いながら説明する。
【０２４５】
ここでは、先に例示した図２の放送データを用いるものとする。
【０２４６】
また、第１の実施形態と同様、図２の（ａ）の本編、（ｂ）の予告、（ｃ）の本編の順にデータとして伝送され受理可能となることを前提として説明する。
【０２４７】
なお、「番組番号」、「番組名」、「シリーズ番号」、「副題」、「種別」、「内容」については、第１の実施形態と同様である。
【０２４８】
図２０は、本情報処理装置の最も簡素な動作指示手順の一例である。すなわち、データ分配部３１２７を１ステップ分実行し（ステップＳ１５１）、予告データ処理部３１２８を１ステップ分実行し（ステップＳ１５２）、本編データ処理部３１２９を１ステップ分実行する（ステップＳ１５３）、という一連の動作指示を適宜繰り返す。
【０２４９】
なお、図２０では、機構的に停止を前提としない各装置部分を全て支障無く稼働させるため、作業ステップ毎に動作する装置部分を切り替える形態をとっているが、これは必須ではなく、各装置部分の滞りない動作が可能であるならばよく、例えば全ての装置部分が各々関係する内外の入出力部分との同期をとりながら各々が完全独立に動作していてもよい。
【０２５０】
次に、図１０にてデータ分配部６１２７の動作の一例を示す。
【０２５１】
データ分配部６１２７は、放送データ伝送路６１０１から少なくとも予告データと本編データとが混在するデータ列の入力があると、これを受理し（ステップＳ７１）、予告データと判断できるあるいは判断すべきデータに関しては予告データの出力のために用意された出力先（例えば予告データ処理部３１２８）に出力し（ステップＳ７２，Ｓ７３，Ｓ７４）、また本編データと判断できるあるいは判断すべきデータに関しては本編データの出力のために用意された出力先（例えば本編データ処理部３１２９）に出力する（ステップＳ７２，Ｓ７５，Ｓ７６）。
【０２５２】
なお、好ましくは、対象データが予告と本編との両方と判断出来る場合に於いては、対象データを双方の出力先に各々出力するか、あるいは片方の出力先のみに限定するか、この選択を、指定出来る機能を有するものとする。
【０２５３】
また、好ましくは、予告にも本編にも当該しないデータのための出力先が予め設けられている場合に、予告にも本編にも当該しないデータをここに出力する機能を有するものとする。
【０２５４】
なお、データ判定手順（図１２のステップＳ７２）としては、例えば、先に示した図１１の手順を用いることができる。
【０２５５】
次に、図２１にて予告データ処理部６１２８の動作の一例を示す。
【０２５６】
予告データ処理部６１２８は、データ分配部６１２７から予告データあるいはその部分を受理すると、内部に有するデータバッファに追加的に蓄積する（ステップＳ１６２，Ｓ１６３）。
【０２５７】
データバッファに蓄積された予告データの量が一定量以上となる、もしくはデータバッファの蓄積可能な残量が一定量以下となる、もしくは最も新しく追加した予告データあるいはその部分に送出を認める記述がある際に、予告データ処理部６１２８は、予告データの蓄積全てを予告データ伝送路６１０２へ出力すると同時に、データバッファの全蓄積を消去する（ステップＳ１６４，Ｓ１６５，Ｓ１６６，Ｓ１６１）。
【０２５８】
次に、図２２にて本編データ処理部６１２８の動作の一例を示す。
【０２５９】
本編データ処理部６１２８は、データ分配部６１２７から本編データあるいはその部分を受理すると、内部に有するデータバッファに追加的に蓄積する（ステップＳ１７２，Ｓ１７３）。
【０２６０】
データバッファに蓄積された本編データの量が一定量以上となる、もしくはデータバッファの蓄積可能な残量が一定量以下となる、もしくは最も新しく追加した本編データあるいはその部分に送出を認める記述がある際に、本編データ処理部６１２９は、本編データの蓄積全てを本編データ伝送路６１０３へ出力すると同時に、データバッファの全蓄積を消去する（ステップＳ１７４，Ｓ１７５，Ｓ１７６，Ｓ１７１）。
【０２６１】
以上のように本実施形態によれば、放送データという単一のデータの列の流れを、その各単位の分類性格に沿って適宜分流させることが可能となる。
【０２６２】
また、この際、複数の分類性格を有するデータ単位に関しては、当該する伝送先全てに等価に振り分けることが可能となっていることにより、各データに複数の分類性格を付ける利便性を提供できる。
【０２６３】
以上、いくつかの実施形態について説明してきたが、第１の実施形態、第３の実施形態、第４の実施形態（図１５の構成例）、第４の実施形態（図１８の構成例）、第５の実施形態は、任意に組み合わせて実施することが可能である。
【０２６４】
また、第２の実施形態に対しても、第３の実施形態の予告データ選別部の機能と第４の実施形態（図１５の構成例）の予告データ表示用データ生成部の機能と第４の実施形態（図１８の構成例）の予告データ表示用データ生成部の機能を任意の組み合わせで適用可能である。
【０２６５】
なお、以上で説明した各機能は、ソフトウェアとしても実現可能である。
【０２６６】
また、本実施形態は、コンピュータに所定の手順を実行させるための（あるいはコンピュータを所定の手段として機能させるための、あるいはコンピュータに所定の機能を実現させるための）プログラムを記録したコンピュータ読取り可能な記録媒体として実施することもできる。
【０２６７】
本発明は、上述した実施の形態に限定されるものではなく、その技術的範囲において種々変形して実施することができる。
【０２６８】
【発明の効果】
本発明によれば、本来そのデータの指示する内容とは無関係独立である無機的な情報を入力あるいは指定せずに、そのデータの予告データを用いることで、誤入力等の誤操作や対象データの取り違えを抑えることが可能となる。
【図面の簡単な説明】
【図１】本発明の第１の実施形態に係る情報処理装置（予約管理装置）の構成例を示す図
【図２】放送データの一例を示す図
【図３】予約リストの一例を示す図
【図４】同実施形態における動作の一例を示すフローチャート
【図５】予告データ記録部の動作例を示すフローチャート
【図６】予約リスト管理部の動作例を示すフローチャート
【図７】予約事項実行部の動作例を示すフローチャート
【図８】本発明の第２の実施形態に係る情報処理装置（本編予告一体型の予約管理装置）の構成例を示す図
【図９】同実施形態における動作の一例を示すフローチャート
【図１０】データ分配部の動作例を示すフローチャート
【図１１】データ判定手順の一例を示すフローチャート
【図１２】本発明の第３の実施形態に係る情報処理装置（予告選別型の予約管理装置）の構成例を示す図
【図１３】同実施形態における動作の一例を示すフローチャート
【図１４】予告データ選別部の動作例を示すフローチャート
【図１５】本発明の第４の実施形態に係る情報処理装置（内参照予告合成更新型の予約管理装置）の構成例を示す図
【図１６】同実施形態における動作の一例を示すフローチャート
【図１７】予告表示用データ生成部の動作例を示すフローチャート
【図１８】本発明の第４の実施形態の変形例に係る情報処理装置（外参照予告合成更新型の予約管理装置）の構成例を示す図
【図１９】本発明の第４の実施形態の変形例に係る情報処理装置（分配装置）の構成例を示す図
【図２０】同実施形態における動作の一例を示すフローチャート
【図２１】予告データ処理部の動作例を示すフローチャート
【図２２】本編データ処理部の動作例を示すフローチャート
【符号の説明】
４１０２…予告データ伝送路
４１０３…本編データ伝送路
４１０４…操作装置
４１０５…予告表示装置
４１０６…予約履行装置
４１１１…情報処理装置（予約管理装置）
４１２１…予告データ記録部
４１２２…予約リスト管理部
４１２３…予約事項実行部
２１０１…放送データ伝送路
２１０４…操作装置
２１０５…予告表示装置
２１０６…予約履行装置
２１０８…本編表示装置
２１１１…情報処理装置（本編予告一体型の予約管理装置）
２１２１…予告データ記録部
２１２２…予約リスト管理部
２１２３…予約事項実行部
２１２７…データ分配部
５１０２…予告データ伝送路
５１０３…本編データ伝送路
５１０４…操作装置
５１０５…予告表示装置
５１０６…予約履行装置
５１１１…情報処理装置（予告選別型の予約管理装置）
５１２１…予告データ記録部
５１２２…予約リスト管理部
５１２３…予約事項実行部
５１２４…予告データ選別部
６１０２…予告データ伝送路
６１０３…本編データ伝送路
６１０４…操作装置
６１０５…予告表示装置
６１０６…予約履行装置
６１１１…処理装置（内参照予告合成更新型の予約管理装置）
６１２１…予告データ記録部
６１２２…予約リスト管理部
６１２３…予約事項実行部
６１２５…予告表示用データ生成部
７１０２…予告データ伝送路
７１０３…本編データ伝送路
７１０４…操作装置
７１０５…予告表示装置
７１０７…放送記録装置
７１１１…処理装置（外参照予告合成更新型の予約管理装置）
７１２１…予告データ記録部
７１２２…予約リスト管理部
７１２３…予約事項実行部
７１２５…予告表示用データ生成部
３１０１…放送データ伝送路
３１０２…予告データ伝送路
３１０３…本編データ伝送路
３１１１…情報処理装置（分配装置）
３１２７…データ分配部
３１２８…予告データ処理部
３１２９…本編データ処理部
【図１】
0003959171.tif 000002
【図２】
0003959171.tif 000003
【図３】
0003959171.tif 000004
【図４】
0003959171.tif 000005
【図５】
0003959171.tif 000006
【図６】
0003959171.tif 000007
【図７】
0003959171.tif 000008
【図８】
0003959171.tif 000009
【図９】
0003959171.tif 000010
【図１０】
0003959171.tif 000011
【図１１】
0003959171.tif 000012
【図１２】
0003959171.tif 000013
【図１３】
0003959171.tif 000014
【図１４】
0003959171.tif 000015
【図１５】
0003959171.tif 000016
【図１６】
0003959171.tif 000017
【図１７】
0003959171.tif 000018
【図１８】
0003959171.tif 000019
【図１９】
0003959171.tif 000020
【図２０】
0003959171.tif 000021
【図２１】
0003959171.tif 000022
【図２２】
0003959171.tif 000023